(57)【要約】【課題】外開き扉のヒンジ部が破壊されても錠前側のデッドボルトが嵌合している限り不法開扉を防止することができる防犯機能強化扉を提供すること。【解決手段】外開き扉において、該扉のヒンジ取り付け部の框に接触する側面又は該扉の側面に対向する前記框部分のいずれか一方側に設けられた少なくとも一つの突出部１８、１９と、閉扉の際に前記突出部に対応する他方側に設けられた前記少なくとも一つの突出部１８、１９を受容するように形成された受容部２１、２２と、を有する防犯機能強化扉である。【選択図】　図１
2004124555.tif 000002
【特許請求の範囲】
【請求項１】
外開き扉において、該扉のヒンジ取り付け部の框に接触する側面又は該扉の側面に対向する前記框部分のいずれか一方側に設けられた少なくとも一つの突出部と、閉扉の際に前記突出部に対応する他方側に設けられた前記少なくとも一つの突出部を受容するように形成された受容部と、を有することを特徴とする防犯機能強化扉。
【請求項２】
前記少なくとも一つの突出部が、該扉のヒンジ取り付け部が框に接触する側面に設けられ、そして前記受容部が、閉扉の際に前記扉の突出部に対応する框部に設けられたこと、を特徴とする請求項１に記載の防犯機能強化扉。
【請求項３】
前記受容部が、該扉のヒンジ取り付け部が框に接触する側面に設けられ、そして前記少なくとも一つの突出部が、閉扉の際に前記扉の突出部に対応する框部に設けられたこと、を特徴とする請求項１に記載の防犯機能強化扉。
【請求項４】
前記扉の側面又は該扉の側面に対向する前記框部分に形成された少なくとも一つの突出部が、円柱状突起であり、前記框部又は扉に形成された受容部が円形状穴であることを特徴とする請求項１ないし３のいずれかに記載の防犯機能強化扉。
【請求項５】
前記扉の側面又は該扉の側面に対向する前記框部分に形成された少なくとも一つの突出部が、角柱状突起であり、前記框部又は扉に形成された受容部が角形状溝であることを特徴とする請求項１ないし３のいずれかに記載の防犯機能強化扉。
【発明の詳細な説明】
【０００１】
【発明の属する技術分野】
本発明は、住宅、事務所、倉庫等各種建造物に設置される扉の構造に関し、特に外開き式外扉の不法開扉を防止するための防犯機能強化扉の構造に関する。
【０００２】
【従来の技術】
各種建造物の扉が、特殊工具を使用することにより不法開錠されるピッキングが横行し、空き巣などによる窃盗やさらには居直り強盗等の被害が後を断たない。このような不法開錠の対策としては、強固かつ複雑な構造の錠前を使用する手段、錠前を複数として開錠操作を複雑かつ困難にする手段、屋内側に振動センサを設けて異常振動に対応して大音響や閃光などにより警報を発生する手段、防犯カメラにより監視を強化する手段などにより防犯効果を向上させる方法が推奨されている。
【０００３】
しかしながら、錠前の構造を如何に複雑にしても不法開錠を試みるケースによる種々の被害が後を断たない。さらに、不法開錠に止まらず、より強力な機械・工具類を使用することにより扉そのものを破壊して強引に侵入するケースも増大している。
【０００４】
このような扉を破壊して侵入するケースでは、バールその他の工具を用いて扉自体を破壊するケース、框（扉枠）側のデッドボルト（閂）受けを破壊するケース、扉に設けられた郵便受けや宅配便受け等を手掛かりにして扉または錠前を破壊するケースなどが指摘されている。
【０００５】
さらに、外開き扉を不法開扉する手段として、電動カッターまたはアーク切断機を用いてヒンジ（蝶番）を切断または溶断などにより破壊するケースも指摘されている。このような破壊から防護するにはヒンジが外部に突出しないような構造とすることも有効であるが、強固な鋼材製扉は重量も嵩むため扉・框間に埋設する形式のヒンジでは強度不足となることが多いため、外部に突出するものが一般的である。
【０００６】
上述のような外部に突出するヒンジを採用している外開き扉では、錠前をより強固にし、さらには複数の錠前を設置したとしても、ヒンジ部に対して切断、溶断、その他の破壊がなされると、ヒンジ側から簡単に不法開扉されてしまう可能性がある。つまり、錠前が如何に強固なもので、さらに複数の錠前が付加されていたとしても、ヒンジが破壊された扉は、バール等の適宜工具を使用することによりヒンジ側から容易に外側に引き出されて不法開扉されてしまう。
【０００７】
【発明が解決しようとする課題】
本発明の課題は、このような事情を考慮して、外開き扉のヒンジ部が破壊されても錠前側のデッドボルトが嵌合している限り不法開扉を防止することができる防犯機能強化扉を提供することを課題とする。
【０００８】
【課題を解決するための手段】
本発明は、外開き扉において、該扉のヒンジ取り付け部の框に接触する側面又は該扉の側面に対向する前記框部分のいずれか一方側に設けられた少なくとも一つの突出部１８、１９と、閉扉の際に前記突出部に対応する他方側に設けられた前記少なくとも一つの突出部１８、１９を受容するように形成された受容部２１、２２と、を有する防犯機能強化扉であることを特徴とする。
【０００９】
また、本発明は、前記少なくとも一つの突出部１８、１９が、前記扉のヒンジ取り付け側の側面に設けられ、そして該少なくとも一つの突出部を閉扉の際に受容する受容部２１、２２が、框（扉枠）側に設けられても良く、逆に、突出部１８、１９を該扉の側面に対向する前記框部分に設け、受容部２１、２２を該扉に設けても同様の結果が得られる。
【００１０】
前記扉の側面又は該扉の側面に対向する前記框部分のいずれか一方に形成された少なくとも一つの突出部が、円柱状突起であり、前記框部又は扉部に形成された受容部が円形状穴であることを特徴とする。なお、前記突出部の形状は円状、半円状、円状と角状との組み合わせ突起等任意に選定できるものであり、また受容部の穴の形状も前記突出部の形状に対応するものであればよく、円形状穴に限られるものではない。
【００１１】
さらに、本発明は、前記扉の側面又は該扉の側面に対向する前記框部分のいずれか一方に形成された少なくとも一つの突出部が、角柱状突起であり、前記框部又は扉部に形成された受容部が角形状溝であることを特徴とする。なお、前記突出部の形状は三角、四角、星形等の角柱状、円状柱との組み合わせ突起等任意に選定できるものであり、また受容部の溝の形状も前記突出部の形状に対応するものであればよく、角形状溝に限定されるものではない。
【００１２】
本発明にかかる防犯機能強化扉によれば、外開き扉のヒンジ（蝶番）１６、１７を外部から切断、溶断等の不法手段によって破壊して錠前取り付け部の反対側からバール様工具により不法開扉される事態を回避することができる。
【００１３】
すなわち、本発明にかかる防犯機能強化扉においては、扉は框（扉枠）との間に嵌合しており、かつヒンジ取り付け側には扉側または框がわの一方から少なくとも一つの突起部が、他方側に形成された受容部に緊密に嵌合しており、扉を外側に横滑りさせながら引き出すような運動は確実に阻止される。そのため、錠前のデッドボルトが破壊されていなければ、たとえヒンジが破壊されたとしても不法開扉は阻止される。
【００１４】
本発明にかかる防犯機能強化扉では、少なくとも１つの錠前のデッドボルトが機能を発揮している状態で外付けヒンジが切断または溶断等により破壊されても、不法開扉が防止できることになり、防犯機能強化が達せられる。
【００１５】
【発明の実施の形態】
以下、添付図を参照しつつ本発明にかかる防犯機能強化扉の実施の形態について開示する。図１は、外開き扉の第１の実施例の外観を例示したものである。扉１０には、郵便受け１１、ドアスコープ１２、ドアノブ１３、主錠前１４、補助錠前１５等が設けられる。なお、錠前は電子ロックやオートロック機構等であっても差し支えない。
【００１６】
扉１０の材質は通常は鋼材製であるがその他用途、目的に応じて適宜材料を用いることができる。また、その他郵便受け等の取り付け要素も単なる例示に過ぎず、例えばドアスコープ１２に代えて小形撮像装置などを付加したものであっても差し支えない。
【００１７】
扉１０は、上部のヒンジ（蝶番）１６および下部のヒンジ１７によって框（扉枠）２０に取り付けられる。ここでは、上下の１対のヒンジによって支承しているがそれ以上であってもよい。なお、通常の外開き扉であるため、ヒンジ１６、１７は外部に突出している。
【００１８】
扉１０および框２０の一部を破断して示した部分には、扉１０側からの突出部１８と、框２０側の受容部２１が図示されている。この突出部１８は、扉１０が図に示すように閉じられている状態では、框２０に形成された受容部２１内に確実に嵌入しており、扉１０の前後動を阻止する機能を発揮する。なお、このような構成に代えて突出部１８と、受容部２１とが、それぞれ反対側に形成されるようにしても同様の効果を奏することが期待できる。
【００１９】
図２（Ａ）は、図１のＡ−Ａ矢視破断平面の拡大図であり、扉１０側からの突出部１８が框２０側の受容部２１に嵌入している状態を示している。この場合、扉１０は外開きであるため、扉１０の開扉動作の際は支障なく嵌合が外れる。図２（Ｂ）は、図（Ａ）とは逆に框２０側に突出部１８が形成され、扉１０側に受容部２１が形成された実施例を示すものである。このようにそれぞれ反対側に形成されていても同様の効果が期待できる。
【００２０】
図１では、突出部１８、受容部２１が１組図示されているが、突出部と受容部は適宜数付加することができる。例えば、上下に２組、上中下に３組、さらにはそれ以上の組みを設けてもよく、また突出部と受容部を縦方向に長尺に形成してもよい。このような突出部および受容部の複数組の設置によって、より強固な防犯機能強化効果が達せられる。この場合の突出部の形状は円柱状、角柱状等いずれでもよい。
【００２１】
図３（Ａ）は、突出部１９、受容部２１の構造を示す破断正面の拡大図であり、本発明の他の実施例を示すものである。図２（Ａ）に示した実施例の突出部１８を扉１０の上下方向に長く伸ばした角柱状突出部１９とし、框２０にはこれに適合する縦溝状受容部２２を設けている。このような角柱状突出部１９と縦溝状受容部２２とを設ける構成によってより、扉と框との接合面積が大きくなるためより強固な嵌合が達せられ、防犯機能がさらに強化される。
【００２２】
図３（Ｂ）は、図（Ａ）に示した実施例における突出部１９及び受容部２２の形成母材を入れ替えた実施例を示すものである。すなわち、框２０側に突出部１９が、そして扉１０側に受容部２２が形成されており、かかる構成においても本願発明の効果を同様に奏することが期待できるものである。
【００２３】
各実施例における突出部１８、１９の高さならびに受容部２１、２２の深さは、数値をもって限定されるものではなく、扉１０と框２０との間の遊びの大小を考慮して決定すべきものである。つまり、外側に突出しているヒンジ１６、１７が切断や溶断などの手段によって破壊され、さらにバール、金梃子、大形のマイナスドライバその他の工具類が扉と框の間に差し込まれた際に扉体が外側に移動するような運動を回避するのに足りる嵌合寸法に選定されるべきである。この場合、錠前のデッドボルトとデッドボルト受けとの嵌合状態も勘案して総合的に決定されるべきである。
【００２４】
【発明の効果】
本発明にかかる防犯機能強化扉によれば、ピッキングその他の不法開錠に代えて外開き扉のヒンジを切断、溶断等のような手段により破壊された場合に、扉側に設けられた突出部と框（扉枠）側に設けられた受容部との嵌合によって、扉のヒンジ側が外部に引き出されてしまい施錠が確実であるにもかかわらず、結果的に不法開扉されてしまう事態を確実に防護することができる。
【００２５】
したがって、本発明によれば、外開き扉の弱点を確実に補うことができ、防犯機能効果を大幅に強化することができ、身命財産の保護に役立つ防犯機能強化扉の構造を提供することができる。
【図面の簡単な説明】
【図１】本発明にかかる防犯機能強化扉の構造を破断して示した部分を含む外観構成例を示す図である。
【図２】図（Ａ）は、図１に示した防犯機能強化扉の主要構造部を示すＡ−Ａ矢視断面図であり、図（Ｂ）は他の実施例の構成を示す断面図である。
【図３】本発明にかかる防犯機能強化扉の突出部および受容部の他の実施例を示す部分破断正面断面図であり、図（Ｂ）はさらに他の実施例の構成例を示す正面断面図である。
【符号の説明】
１０　扉
１１　郵便受け
１２　ドアスコープ
１３　ノブ
１４　主錠
１５　補助錠
１６、１７　ヒンジ（蝶番）
１８　突出部
１９　角柱状突出部
２０　框（扉枠）
２１　受容部
２２　縦溝状受容部
【図１】
2004124555.tif 000003
【図２】
2004124555.tif 000004
【図３】
2004124555.tif 000005